(57)【要約】【課題】  電話番号の数字列により特定の電子メールアドレスを検索する。【解決手段】  ローカル電話番号、国が属する国番号およびエリアが属するエリア番号の電話の三つの番号からなる数字は全世界で重複することがない。従って、「国番号−エリア番号−ローカル電話番号」の組合せを特定の電子メールアドレスと対応させてインターネットの任意のウェブサイトのサーバ中のデータベース中へ登録して保存することにより、送信者は、電子メールアドレスを記憶する必要なく、ウェブサイトのサーバにアクセスしてこれらの電話番号を入力することにより電子メールを送信することができる。
2005515555.tif 000002
【特許請求の範囲】
【請求項１】
Ｗｅｂ−Ｂａｓｅｄタイプの電子メールに使用するものであって、特定ウェブサイト、検索インターフェイス動態ホームページ、検索プログラム及びデータベースから構成され、前記特定ウェブサイトの特定ウェブサイトサーバは、ワールドワイドウェブ（World Wide Web）に接続され、それは前記ワールドワイドウェブ（World Wide Web）の様々な通信プロトコルに適合する各種のインターネットのデータの出力および入力をおこない、前記検索インターフェイス動態ホームページは、前記特定ウェブサイトのホームページ（Home page）又はホームページ以下のウェブページ（Web page）であり、前記ワールドワイドウェブに適用するソフトウェア言語により書かれ、前記検索プログラムは前記ワールドワイドウェブ（World Wide Web）へ応用するソフトウェア言語により書くことができる特定電話の番号を構成する数字列により特定の電子メールアドレスを検索する方法であって、
前記データベース中に各特定電子メールアドレスと、各前記特定電子メールアドレスに対応する電話番号のデータを登録保存し、前記検索インターフェイス動態ホームページ中に順番に「国番号−エリア番号−ローカル電話番号」の数字列を順番に入力する空欄が設けられてなることを特徴とする特定電話の番号を構成する数個の数字を順番に組合せて合成する数字列により特定の電子メールアドレスを検索する方法。
【請求項２】
前記検索インターフェイス動態ホームページ中の「国番号−エリア番号−ローカル電話番号」の数字列様式は、「国番号−携帯電話番号」に設定することもできることを特徴とする請求項１記載の特定電話の番号を構成する数個の数字を順番に組合せて合成する数字列により特定の電子メールアドレスを検索する方法。
【請求項３】
前記送信者は、例えば、市内電話線、有線テレビのＣＡＴＶ線などの有線伝送の方式により前記ワールドワイドウェブ（World Wide Web）に接続して前記特定ウェブサイトに入ることを特徴とする請求項１記載の特定電話の番号を構成する数個の数字を順番に組合せて合成する数字列により特定の電子メールアドレスを検索する方法。
【請求項４】
前記送信者は、例えば、携帯電話、衛星電話などの無線伝送の方式により前記ワールドワイドウェブ（World Wide Web）に接続して前記特定ウェブサイトに入ることを特徴とする請求項１記載の特定電話の番号を構成する数個の数字を順番に組合せて合成する数字列により特定の電子メールアドレスを検索する方法。
【請求項５】
前記データベースは、前記特定ウェブサイトの前記特定ウェブサイトサーバ内に設置される以外に、更に前記ワールドワイドウェブ（World Wide Web）に接続された任意の前記ウェブサイトの前記ウェブサイトサーバ中の前記データベースを含み、前記データベース中には各特定電子メールアドレスと、各前記特定電子メールアドレスに対応する電話番号とを登録保存することを特徴とする請求項１記載の特定電話の番号を構成する数個の数字を順番に組合せて合成する数字列により特定の電子メールアドレスを検索する方法。
【請求項６】
ＰＯＰタイプの電子メールの方法に使用するものであって、それは電子メールソフトウェア、検索プログラムおよび一個以上のデータベースを備え、前記電子メールソフトウェアは、送信者のコンピュータ中に設けられ、それは「国番号−エリア番号−ローカル電話番号」の数字列が順番に入力できる空欄を備え、前記検索プログラムも前記送信者の前記コンピュータ中に設けられ、前記送信者が「国番号−エリア番号−ローカル電話番号」の数字列を前記電子メールソフトウェアの前記空欄中に入力すると執行される特定電話の番号を構成する数字列により特定の電子メールアドレスを検索する方法であって、
データベースがインターネットに接続されたサーバに設けられ、それは特定電子メールアドレスと、前記特定電子メールアドレスに対応する電話番号とを登録保存し、前記電子メールソフトウェアに「国番号−エリア番号−ローカル電話番号」の数字列が順番に入力できる空欄が設けられることを特徴とする特定電話の番号を構成する数個の数字を順番に組合せて合成する数字列により特定の電子メールアドレスを検索する方法。
【請求項７】
前記電子メールソフトウェア中の「国番号−エリア番号−ローカル電話番号」の数字列様式は「国番号−携帯電話番号」に設定することもできることを特徴とする請求項６記載の特定電話の番号を構成する数個の数字を順番に組合せて合成する数字列により特定の電子メールアドレスを検索する方法。
【請求項８】
前記送信者は、伝送手段として、市内電話線、有線テレビのＣＡＴＶ線などの有線伝送の方式によりインターネット（Internet）に接続して特定ウェブサイトに入ることを特徴とする請求項６記載の特定電話の数個の番号を順番に組合せて合成する数字列により特定の電子メールアドレスを検索する方法。
【請求項９】
前記送信者は、伝送手段として、携帯電話、衛星電話などの無線伝送の方式によりインターネット（Internet）に接続して特定ウェブサイトに入ることを特徴とする請求項６記載の特定電話の数個の番号を順番に組合せて合成する数字列により特定の電子メールアドレスを検索する方法。
【請求項１０】
前記データベースは、インターネットに接続されたその他のサーバのデータベースをさらに含み、数個のデータベース中には各特定電子メールアドレスと、各前記特定電子メールアドレスに対応する電話番号とを登録保存することを特徴とする請求項６記載の特定電話の数個の番号を順番に組合せて合成する数字列により特定の電子メールアドレスを検索する方法。
【請求項１１】
前記電子メールソフトウェアは、パーソナルコンピュータ（ＰＣ）、パーソナルデジタルアシスタント（ＰＤＡ）、携帯電話（Cell Phone）或いは衛星携帯電話の中に内蔵してなることを特徴とする請求項６記載の特定電話の数個の番号を順番に組合せて合成する数字列により特定の電子メールアドレスを検索する方法。
【発明の詳細な説明】
【技術分野】
【０００１】
本発明は特定の電話番号を構成する数個の番号数字を順番に組合せて合成する数字列により特定の電子メールアドレスを検索する方法に関し、特に記憶に便利な電話番号の数字列を利用し、受信者の特定の電子メールアドレスを素早く見つけることができる方法に関する。
【背景技術】
【０００２】
電子メール（E-mail）は、コンピュータを介してメッセージを送受信するツールであり、現在インターネットにおいて最もよく使用されるツールでもある。送信者は電子メールを書いた後、インターネット又はワールドワイドウェブ（World Wide Web）を伝送の媒体にし、この電子メールをインターネット上の一人又は複数の人へ送信することができるが、この際、受信者はこのインターネット又はワールドワイドウェブ中にいる必要はない。なぜなら、この電子メールはインターネット又はワールドワイドウェブ上の一台又は複数台のメールサーバ中に置かれるため、受信者は次回インターネットへアクセスしてその電子メールのメールボックスを開けて、その電子メールを取出してメッセージを得ることができるからである。
【０００３】
現在の電子メールは、ＰＯＰ（Post Office Protocol）及びＷｅｂ−Ｂａｓｅｄの二種類に大きく分けられる。ＰＯＰタイプの電子メールは、図１に示すように、遠隔ログイン方式により、電子メールをアップロードおよびダウンロードするが、それには電子メールを作成、送信及び受信するための電子メールソフトウェアが必要であった。送信者Ｓがコンピュータの電子メールソフトウェアにより電子メールを作成した後、インターネットＩを介して先ず電子メールを送信者のＳＭＰＴ（Simple Mail Transfer Protocol）のメールサーバ１へアップロードしてから、インターネットＩを通って受信者ＲのＰＯＰメールサーバ２中へ伝送され、受信者ＲがインターネットＩに接続した後、電子メールソフトウェアを利用してＰＯＰメールサーバ２へ接続し、電子メールを自分のコンピュータへ取込んで、電子メールの伝送を完了する。Ｗｅｂ−Ｂａｓｅｄタイプの電子メールは、図２に示すように、ウェブサイト（Web site）又は関連のコンピュータ中に置き、ユーザがブラウザー（Browser）を利用してウェブサイト上で直接に電子メールを送受信する。送信者Ｓ又は受信者Ｒは、インターネットに接続できる任意のコンピュータ（ＰＣ）を使用して、ワールドワイドウェブ（World Wide Web）を介してＷｅｂ−Ｂａｓｅｄのメールサーバ３中へアクセスし、ブラウザーを使用してホームページ上で電子メールを読んだり送信したりすることができる。
【０００４】
世界中にあるウェブサイトは、少なく見積もっても２０００萬以上（個人及び各種法人組織のウェブサイトを含む）あり、現在も常に増加している。各ウェブサイトは、一個又は複数個の電子メールアドレスを提供する以外に、インターネットのユーザ間或いはユーザとウェブサイトとの間の連絡用途のサービスを提供する以外にも、インターネットサービスプロバイダ（ＩＳＰ：Internet Service Provider）及びウェブサイトは電子メールを送受信する機能も提供している。各人は一つ以上の電子メールアドレスを有して、様々なメールマガジンを予約購読したり、公的、私的な交流に利用している。電子メールを利用する人数と回数が増加するに伴い、ＰＯＰ或いはＷｅｂ−Ｂａｓｅｄで電子メールを送信する際に最も困難な点は、符号列がとても長い電子メールアドレスを記憶することとなってきた。電子メールアドレスのコードネーム（名称）は、ＩＳＰ業者或いはウェブサイト業者自らがつくりだした規格により編み出されたものであるため、一定の規則配列がされておらず、少なくて簡単に記憶できる電子メールアドレスは元々多くない。また、容易に素早く記憶できる電子メールアドレスを入力した後に電子メールが送信できるか、或いは推測により会社の名称を当てることができる電子メールアドレスの採用も電子メールアドレスを成功裏に取得する方法の一つである。しかし、その他大部分である記憶しづらい電子メールアドレスは小まめに個人のメモ帳に記録するか、自分のコンピュータ（ＰＣ）中の専属データファイル中に保存しなければ、忘れることを防ぐことは出来なかった。しかし、以下の状況の場合には必要な特定電子メールアドレスを素早く得ることができなかった。
【０００５】
１．海外旅行などで外国にいるとき、インターネットに使用するコンピュータ（ＰＣ）は自分の家で常に使用するＰＣでないため、ＰＣに保存したデータから特定の電子メールアドレスを探し出すことができず、特定の電子メールアドレスが記載された個人用メモ帳を常に携帯しておかなければ、自分の国の者に助けを求め、他の人にその特定電子メールアドレスを尋ねるしかなかった。他の人が電話の受話器を通して知らせてくれるとき、聞き取りの誤りにより電子メールアドレスが誤って伝わる状況がよく発生した。例えば、英語系国家以外の者にとり、「Ｅ」と「１」の音は近似しており、また、英語系国家の者であっても各文字を知らせる際には、その文字から始まる単語、例えば「A like "A"pple」、「B like "B"oy」などの助けにより文字を確認することにより、伝える文字が知らせる者から知らされる者へ正確に伝わることを確保する。そして、このような困難は世界中で常に生じている。
【０００６】
２．電子ビジネスが盛んな時代において、電子メール（自分の会社の元請業者、下請業者或いは訪れたい営業対象の会社を含む）を書類或いは公文を伝送するツールにすることは広く普及している。しかし、クライアントの会社名しか覚えておらず、その会社の電子メールアドレスまでは覚えていないことはよくあることであった。大部分の人は、習慣上会社の名称を覚えることは比較的容易であるが、長くて一連の文字記号である会社の電子メールアドレスを覚えることは比較的困難である。同様に、一人の人の名前を覚えるのは容易であるが、個人の電子メールアドレスを覚えることは困難である。
【発明の開示】
【発明が解決しようとする課題】
【０００７】
本発明の目的は、個人または会社が一組以上の電話番号を有する場合、複数組の電話番号をすべて本発明中の特定ウェブサイト中のデータベースへ入力するか、インターネット（Internet）上の任意のサーバ中のデータベースに接続すれば、これらの複数組の電話番号により同時に個人または会社の特定電子メールアドレスを探すことができ、送信者は複数組の電話番号から最も覚え易い電話番号を選択して、特定ウェブサイト中に設置された検索動態ウェブサイト中の空欄か電子メールソフトウェア中へ入力するだけで極めて容易に電子メールを個人または会社のＰＯＰメールサーバへ送信することができる、数個の特定電話番号を順番に組合せて合成する数字列により特定の電子メールアドレスを検索する方法を提供することにある。
【０００８】
本発明の別の目的は、電信電話会社により個人または会社の電話番号が配分して取得されているため、その頭に国番号およびエリア番号を付けると世界で唯一の専属性を具えるため、他人は再び重複して取得することが不可能であり、同一のメールサーバ中の同じ電子メールアドレスが他人に取られて登記されるという欠点がない、数個の特定電話番号を順番に組合せて合成する数字列により特定の電子メールアドレスを検索する方法を提供する。
【０００９】
本発明のさらに別の目的は、一般に覚えにくい特定電子メールアドレスに替えて覚え易くて何処でも見られる電話番号を入力することにより、特定電子メールアドレスを検索することができるようにすることにより、送信者たる利用者の特定電子メールアドレス取得を促進し、個人および会社の電子メールアドレスの利用度を高めて、電子ビジネスの急速な発展を助ける、数個の特定電話番号を順番に組合せて合成する数字列により特定の電子メールアドレスを検索する方法を提供することにある。
【００１０】
本発明のさらなる目的は、現在有る電話番号の取得システムを運用して、インターネット使用者が非常に長い特定電子メールアドレスを覚えることに時間をかける必要がなく、何時でも何処でも直接に地元の電話帳、電話番号検索サービス或いはインターネットにある電話番号を調べる機能がある電子化された電話番号検索ウェブサイトを直接に利用して、電話番号が分かるだけで直ちに特定の電子メールアドレスを知ることができ、電話で他の人に調べてもらう必要がない上、電話の受話器を通して発生する音声による誤認が生じることのない、数個の特定電話番号を順番に組合せて合成する数字列により特定の電子メールアドレスを検索する方法を提供することにある。
【課題を解決するための手段】
【００１１】
上で述べた目的を達成するために、本発明は、特定電話の番号を構成する数個の数字列により特定の電子メールアドレスを検索する方法を提供する。個人または会社専属のローカル電話番号、国が属する国番号およびエリアが属するエリア番号などの電話の三つの番号から、「国番号−エリア番号−ローカル電話番号」の特定の配列模式により数字列を組合せるとともに、個人または会社が属する特定の電子メールアドレスにより、電話番号の数字列と特定電子メールアドレスを同時に特定メールサーバまたはインターネットの任意のウェブサイトのサーバ中のデータベース中へ登録して保存する。送信者が電子メールを送信するとき、電子メールソフトウェア中に設けられた空欄か特定ウェブサイト中に設けられた検索動態ウェブサイト上に設けられた空欄に、順番に個人または会社の「国番号−エリア番号−ローカル電話番号」の数字列を入力すると、電子メール中の検索プログラムか特定ウェブサイトサーバ中の検索プログラムにより、メールサーバかウェブサイトサーバのデータベースへ入るか、インターネット上の任意のウェブサイトのウェブサイトサーバのデータベースに接続され、数字列に対応する特定電子メールアドレスを比較し、電話番号数字列に対応する特定電子メールアドレスを直ちにインターネットを介して自動的に送信者が属するＳＭＰＴメールサーバ中へ送り、ＳＭＰＴメールサーバにより送信者が書いた電子メールを自動的にインターネットを介して受信者のＰＯＰメールサーバへ伝送する。受信者はインターネットを介してＰＯＰメールサーバへアクセスして送信者が送信した電子メールの内容を取得して閲覧する。
【発明の効果】
【００１２】
本発明は、一般の人が熟知して容易に暗記し易く使用になれた電話番号を、長くて覚えずらい電子メールアドレスに替えて、現在使用している電子メールアドレス以外に優れた選択を提供する上、更に各国の国番号およびエリア番号を加えると世界で唯一の専属性を具えるため、他人が重複して取得することはできず、更には同一のメールサーバ中の同様の電子メールアドレスが他人に取られて登記されるという心配もない。
【発明を実施するための最良の形態】
【００１３】
図３に示すように、本実施例によるＷｅｂ−Ｂａｓｅｄタイプの電子メールを使用する方法は、特定ウェブサイト１０、検索インターフェイス動態ホームページ２０、検索プログラム３０及び一個以上のデータベース４０を含む。特定ウェブサイト１０の特定ウェブサイトサーバ１１は、ワールドワイドウェブ（World Wide Web）Ｗに接続され、それはワールドワイドウェブＷの様々な通信プロトコルに適合する各種のインターネットのデータの出力および入力をおこなう。検索インターフェイス動態ホームページ２０は特定ウェブサイト１０のホームページ又はホームページ以下のウェブページ（Web page）であり、ワールドワイドウェブＷのソフトウェア言語により書かれる。そこには順番に「国番号−エリア番号−ローカル電話番号」の数字列を入力する空欄２１が設けられる。検索プログラム３０はワールドワイドウェブＷへ応用するソフトウェア言語により書くことができ、それは送信者Ｓが「国番号−エリア番号−ローカル電話番号」の数字列を特定ウェブサイト１０の検索インターフェイス動態ホームページ２０中の空欄２１へ入力すると直ちに執行される。データベース４０は、特定ウェブサイト１０の特定ウェブサイトサーバ１１中に設置され、それは各特定電子メールアドレスと、各特定電子メールアドレスに対応する電話番号とを登録保存する。
【００１４】
本発明がＷｅｂ−Ｂａｓｅｄタイプ電子メールの実施例における検索インターフェイス動態ホームページ２０及び検索プログラム３０に使用するプログラムは、ＶＢ  Ｓｃｒｉｐｔソフトウェア言語により書かれ、それはワールドワイドウェブのＸＨＴＭＬ、ＸＭＬ、ＰＨＰ、ＡＳＰ、ＣＳＳ、ＪＳＰ、Ｃ、Ｃ＋＋、ＣＧＩ２０、Ｊａｖａ(登録商標）、ＡｃｔｉｖｅＸなどのソフトウェア言語も適用できることを予めここで合わせて述べておく。
【００１５】
図４に示すように、本発明がＷｅｂ−Ｂａｓｅｄタイプの電子メールの検索インターフェイス動態ホームページ２０に使用するすべての検索インターフェイス動態ホームページプログラム２００、２０１、２０２、２０３および２０４の執行順序の機能をそれぞれ次に述べる。
【００１６】
プログラム２００→以下に構築する検索インターフェイス動態ホームページ内容の語法がインターネットブラウザの語法と同様であることを宣告。
プログラム２０１→検索インターフェイス動態ホームページに、ワールドワイドウェブ（World Wide Web）中でハイパーテキスト（Hypertext）機能が行使できる特定名称を与える。
プログラム２０２→検索インターフェイス動態ホームページ上に、全ての表欄の様式がどこからでもそのパスが取得できることを知らせて表示する。
プログラム２０３→検索インターフェイス動態ホームページにおいて、一つの欄を提供し、インターネットユーザはそこに知っている特定電話番号の数字列を入力する。
プログラム２０４→プログラム２０３が完了した後に伝達の指令を出す。
【００１７】
図５に示すように、本発明がＷｅｂ−Ｂａｓｅｄタイプの電子メール検索プログラム３０に使用するすべての検索プログラム３００、３１０、３０２、３０３および３０４の執行順序の機能は各々次の通りである。
【００１８】
プログラム３００→以下に構築する検索プログラムの語法がインターネットブラウザの語法と同様であることを宣告。
プログラム３０１→検索プログラムに、ワールドワイドウェブ（World Wide Web）中でハイパーテキスト（Hypertext）機能が行使できる特定名称を与える。
プログラム３０２→検索インターフェイス動態ホームページ中の欄が空白で何も入力されていないことを調べる。
プログラム３０３→データベースの所在位置を探す。
プログラム３０４→「検索インターフェイス動態ホームページ」からの電話番号の数字列と、データベースに登録した電話番号の数字列と、データベースに登録した電話番号の数字列が対応する電子メールアドレスとの三つの資料を比較し、合致するものがないか調べる。もし、「検索インターフェイス動態ホームページ」の電話番号の数字列と、データベースに登録された電話番号の数字列とが合致する電話番号の数字列が得られると、直ちに合致する電話番号が対応する電子メールアドレスのメールサーバに対してハイパーテキストをおこなう。もし比較して合致する電話番号の数字列がないときは次のプログラムへ進む。
プログラム３０５→プログラム３０４から受取って、合致する電話番号の数字列の情報がない場合、直ちに送信者に知らせて、再び正確な電話番号を入力する信号画面を「検索インターフェイス動態ホームページ」にする。
【００１９】
図３、図４および図５に示すように、送信者Ｓが電子メールを書終え、有線伝送（例えば、市内電話線、有線テレビのＣＡＴＶ線など）や、無線伝送（例えば、携帯電話、衛星電話など）の方式を利用して、ワールドワイドウェブ（World Wide Web）Ｗに接続して特定ウェブサイト１０に入った後、先ずクリック（click）して特定ウェブサイト１０の検索インターフェイス動態ホームページ２０中に入る。そして、送信したい受信者Ｒが対象の個人の電話番号や会社に属する電話番号の前に、それぞれ国番号及びエリア番号（例えば、８８６（台湾）−７（高雄）−１２３４５６７（ローカル電話番号））を頭に付けるか、個人の携帯電話番号の前に国番号（例えば、８８６（台湾）−１２３４５６７８９０（個人の携帯電話番号））を頭に付け、順番に検索インターフェイス動態ホームページ２０中の「国番号−エリア番号−ローカル電話番号」の空欄２１中に入力した後、検索インターフェイス動態ホームページプログラム２００、２０１、２０２、２０３および２０４（図４に示す）がそれぞれ各自のプログラム指令の執行を完了させるとともに、検索プログラム３０を直ちに起動し、検索プログラム３０の各プログラム３００、３０１、３０２、３０３および３０４（図５に示す）により、それぞれのプログラム指令を順番に執行し、データベース４０中にある全ての電話番号とそれに対応する電子メールアドレスとの比較を開始し、比較して得られた検索インターフェイス動態ホームページ２０からの電話番号の数字列と、データベース４０に登録された電話番号の数字列とが合致した電話番号の数字列が得られると、それらに合致する電話番号の数字列を有する特定電子メールアドレスをインターネットＩを介して送信者Ｓが所属するＳＭＰＴメールサーバ５０中へ自動的に伝送するとともに、ＳＭＰＴメールサーバ５０により送信者Ｓが書いた電子メールは、自動的にインターネットＩを経由して受信者ＲのＰＯＰメールサーバ６０中へ送られる。受信者ＲはインターネットＩを経由してＰＯＰメールサーバ６０中へ入り、送信者Ｓが送信した電子メールの内容を取得して閲覧する。検索プログラム３０の各プログラム３００、３０１、３０２、３０３および３０４は、執行した後に対応する電話番号の数字列が得られないときには、プログラム３０５は「再び正確な電話番号を入力して下さい」という指令を検索インターフェイス動態ホームページ２０上へ送って送信者Ｓに知らせ、検索インターフェイス動態ホームページ２０中の空欄２１中に再び正確な電話番号を入力させてもう一回検索の比較を行うことができる。
【００２０】
図６に示すように、本発明はＷｅｂ−Ｂａｓｅｄタイプの電子メールの方法を使用するもう一つの実施例であり、データベース４０は特定ウェブサイト１０の特定ウェブサイトサーバ１１内外に設置する以外に、ワールドワイドウェブ（World Wide Web）Ｗ中の任意のウェブサイト１０’に連結されたウェブサイトサーバ１１’中に設置された数個のデータベース４０’を更に含み、数個のデータベース４０’中には各特定電子メールアドレスと、各特定電子メールアドレスに対応した電話番号データが登録保存される。送信者Ｓが送信したい受信者Ｒを対象とする個人或いは会社専属の電話番号へ送りたいとき、国番号とエリア番号を頭に付けて、検索インターフェイス動態ホームページ２０中の「国番号−エリア番号−ローカル電話番号」の順番に空欄２１中に入力すると、検索プログラム３０が執行されると同時に特定ウェブサイト１０の特定ウェブサイトサーバ１１中のデータベース４０と、ワールドワイドウェブ（World Wide Web）Ｗの任意のウェブサイト１０’に接続したウェブサイトサーバ１１’中のデータベース４０’と比較し、検索インターフェイス動態ホームページ２０から得られた電話番号数字列と、データベース４０に登録した電話番号数字列とが合致する電話番号数字列とを比較したときに、対応する電話番号数字列を有する特定電子メールアドレスを直ちにインターネットＩを介して自動的に送信者Ｓが所属するＳＭＰＴメールサーバ５０中へ送信し、ＳＭＰＴメールサーバ５０により送信者Ｓが書いた電子メールを再び自動的にインターネットＩを通して受信者ＲのＰＯＰメールサーバ６０中へ伝送する。受信者Ｒは、インターネットＩを介してＰＯＰメールサーバ６０にアクセスし、送信者Ｓが送信した電子メールの内容を取得して閲覧する。検索プログラム３０の各プログラム３００、３０１、３０２、３０３および３０４が、執行した後に比較して合致した電話番号数字列がないとき、プログラム３０５は直ちに「再び正確な電話番号を入力して下さい」の指令を検索インターフェイス動態ホームページ２０上に送って送信者Ｓへ知らせ、再び検索インターフェイス動態ホームページ２０中の空欄２１中に再び正確な電話番号を入力させてもう一度検索の比較を行う。
【００２１】
図７に示すのは、本発明が使用するＰＯＰタイプの電子メールの方法であり、それは電子メールソフトウェア７０、検索プログラム８０および一個以上のデータベース４０を備える。電子メールソフトウェア７０は、送信者ＳのコンピュータＰ中に設けられ、それは「国番号−エリア番号−ローカル電話番号」の数字列が順番に入力できる空欄７１を備える。また、検索プログラム８０も送信者ＳのコンピュータＰ中に設けられ、送信者Ｓが「国番号−エリア番号−ローカル電話番号」の数字列を電子メールソフトウェア７０の空欄７１中に入力すると執行される。データベース４０はインターネットＩに接続されたサーバに設けられ、それは特定電子メールアドレスと、特定電子メールアドレスに対応する電話番号とを登録保存する。
【００２２】
図７に示すように、送信者ＳがＰＯＰタイプの電子メールの使用を選択して電子メールを送信するとき、先ずコンピュータＰ中で電子メールソフトウェア７０を開いてから、送信したい受信者Ｒを対象とする個人の電話番号や会社の専属電話番号の前に、それぞれ国番号及びエリア番号（例えば、８８６（台湾）−７（高雄）−１２３４５６７（ローカル電話番号））を頭に付けるか、個人の携帯電話番号の前に国番号（例えば、８８６（台湾）−１２３４５６７８９０（個人の携帯電話番号））を頭に付け、順番に電子メールソフトウェア７０中の「国番号−エリア番号−ローカル電話番号」の空欄７１中に入力した後、検索プログラム８０を起動してから、有線伝送（例えば、市内電話線、有線テレビのＣＡＴＶ線など）や、無線伝送（例えば、携帯電話、衛星電話など）の方式を利用して、インターネットＩ中のサーバ中のデータベース４０へ接続し、データベース４０中にある全ての電話番号とそれに対応する電子メールアドレスとの比較を開始し、比較して得られた電子メールソフトウェア７０中の空欄７１からの電話番号の数字列と、データベース４０に登録された電話番号の数字列とが合致した電話番号の数字列が得られると、それらに合致する電話番号の数字列を有する特定電子メールアドレスをインターネットＩを介して送信者Ｓが書いた電子メールを送信者Ｓが所属するＳＭＰＴメールサーバ５０中へ主動的に送信するとともに、ＳＭＰＴメールサーバ５０により送信者Ｓが書いた電子メールを、自動的にインターネットＩを経由して受信者ＲのＰＯＰメールサーバ６０中へ送る。受信者ＲはインターネットＩを経由してＰＯＰメールサーバ６０中へアクセスし、送信者Ｓが送信した電子メールの内容を取得して閲覧する。検索プログラム８０が執行されて合致する電話番号の数字列がないとき、直ちに「再び正確な電話番号を入力して下さい」という指令を電子メールソフトウェア７０へ送って送信者Ｓに知らせ、電子メールソフトウェア７０中の空欄７１中に再び正確な電話番号を入力させてもう一度検索の比較を行う。
【００２３】
図８に示すものは、本発明は、ＰＯＰタイプの電子メールを使用する方法のもう一つの実施例であり、データベース４０はインターネットＩに接続されたその他のサーバの数個のデータベース４０’をさらに含み、数個のデータベース４０’中には各特定電子メールアドレスと、各特定電子メールアドレスに対応する電話番号のデータが登録保存される。送信者Ｓが送信したい受信者Ｒが対象の個人の電話番号や会社の専属電話番号の前に、それぞれ国番号及びエリア番号（例えば、８８６（台湾）−７（高雄）−１２３４５６７（ローカル電話番号））を頭に付けるか、個人の携帯電話番号の前に国番号（例えば、８８６（台湾）−１２３４５６７８９０（個人の携帯電話番号））を頭に付け、順番に電子メールソフトウェア７０中の「国番号−エリア番号−ローカル電話番号」の空欄７１中に入力した後、検索プログラム８０を起動してから、有線伝送（例えば、市内電話線、有線テレビのＣＡＴＶ線など）や、無線伝送（例えば、携帯電話、衛星電話など）の方式を利用して、インターネットＩ中のサーバ中のデータベース４０およびその他のサーバのデータベース４０’へ接続し、データベース４０および４０’中にある全ての電話番号とそれに対応する電子メールアドレスとの比較を開始し、比較して得られた電子メールソフトウェア７０中の空欄７１からの電話番号の数字列と、データベース４０および４０’に登録された電話番号の数字列とが合致した電話番号の数字列が得られると、それらに合致する電話番号の数字列を有する特定電子メールアドレスをインターネットＩを介して送信者Ｓが書いた電子メールを送信者Ｓが所属するＳＭＰＴメールサーバ５０中へ主動的に送信するとともに、ＳＭＰＴメールサーバ５０により送信者Ｓが書いた電子メールは、自動的にインターネットＩを経由して受信者ＲのＰＯＰメールサーバ６０中へ送られる。受信者ＲはインターネットＩを経由してＰＯＰメールサーバ６０中へアクセスし、送信者Ｓが送信した電子メールの内容を取得して閲覧する。検索プログラム８０が執行されて合致する電話番号の数字列がないとき、直ちに「再び正確な電話番号を入力して下さい」という指令を電子メールソフトウェア７０へ送って送信者Ｓに知らせ、電子メールソフトウェア７０中の空欄７１中に再び正確な電話番号を入力させてもう一度検索の比較を行う。
【図面の簡単な説明】
【００２４】
【図１】従来技術のＰＯＰタイプにより電子メールを送信する図である。
【図２】従来技術のＷｅｂ−Ｂａｓｅｄタイプにより電子メールを送信する図である。
【図３】本実施例におけるＷｅｂ−Ｂａｓｅｄタイプによる電子メールを使用するフロー図である。
【図４】本実施例におけるＷｅｂ−Ｂａｓｅｄタイプによる電子メールを使用する検索インターフェイス動態ホームページがＶＢ  Ｓｃｒｉｐｔソフトウェア言語によりプログラムが書かれた実施例である。
【図５】本実施例におけるＷｅｂ−Ｂａｓｅｄタイプによる電子メールを使用する検索プログラムがＶＢ  Ｓｃｒｉｐｔソフトウェア言語によりプログラムが書かれた実施例である。
【図６】本実施例におけるＷｅｂ−Ｂａｓｅｄタイプによる電子メールを使用するもう一つの実施例を示す図である。
【図７】本実施例におけるＰＯＰタイプの電子メールの使用を示すフロー図である。
【図８】もう一つの本実施例におけるＰＯＰタイプの電子メールの使用を示すフロー図である。
【符号の説明】
【００２５】
１、５０  ＳＭＰＴメールサーバ、２、６０  ＰＯＰメールサーバ、３  Ｗｅｂ−Ｂａｓｅｄメールサーバ、１０  特定ウェブサイト、１０’  ウェブサイト、１１  特定ウェブサイトサーバ、１１’  ウェブサイトサーバ、２０  検索インターフェイス動態ホームページ、２１、７１  空欄、３０、８０  検索プログラム、４０、４０’  データベース、７０  電子メールソフトウェア、２００、２０１、２０２、２０３、２０４  検索インターフェイス動態ホームページプログラム、３００、３０１、３０２、３０３、３０４、３０５検索プログラム、Ｗ  ワールドワイドウェブ（World Wide Web）、Ｉ  インターネット（Internet）、Ｒ  受信者、Ｓ  送信者、Ｐ  コンピュータ
【図１】
2005515555.tif 000003
【図２】
2005515555.tif 000004
【図３】
2005515555.tif 000005
【図４】
2005515555.tif 000006
【図５】
2005515555.tif 000007
【図６】
2005515555.tif 000008
【図７】
2005515555.tif 000009
【図８】
2005515555.tif 000010
【国際調査報告】
2005515555.tif 000011